(57)【要約】【課題】基板を、それ自体に螺着用のネジ孔等を穿設することなく外カバーと内カバーとで覆われた空間内に固定された状態で収納することができ、収納可能な基板の種類が限定されない実用性の高い遊技機用制御装置を提供する。【解決手段】制御装置１は、種々の制御素子を搭載した基板２ａ，２ｂ、基板２ｂを外カバー３に固定するための固定部材４１、透明な合成樹脂製の外カバー３および内カバー等によって構成されている。また、外カバー３に開口部４９，４９が形成されており、基板２ｂが、開口部４９、４９から一部を露出させた状態で、裏面に押し当てられた固定部材４１によって、外カバー３の裏面に固定されている。そして、その外カバー３の裏面側に内カバーが重ね合わされて組み付けられることによって、外カバー３と内カバーとで基板２ｂを覆った状態になっている。【選択図】図９
2009201692.tif 000002
【特許請求の範囲】
【請求項１】
外カバーと内カバーとを重ね合わせて組み付けることによって制御素子を設置した基板を覆った遊技機用制御装置であって、
外カバーに開口部が形成されており、前記基板が、前記開口部から一部を露出させた状態で、裏面に押し当てられた固定部材によって、前記外カバーの裏面に固定されているとともに、
その外カバーの裏面側に、前記内カバーが重ね合わされて組み付けられていることを特徴とする遊技機用制御装置。
【請求項２】
前記固定部材が、片端縁に設けられた係合部を前記外カバーに係合させ、かつ、他端縁を外カバーに螺着させた状態で、基板を外カバーの裏面側に固定していることを特徴とする請求項１に記載の遊技機用制御装置。
【請求項３】
前記固定部材の係合部が、固定部材の片端縁を凹状に刻設することによって形成されたものであり、
固定部材が、外カバーの周壁の内面に設けられた係合突起を前記係合部に嵌め込むことによって、基板を外カバーの裏面側に固定していることを特徴とする請求項１、または請求項２に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、制御基板を螺着する外カバーに切断可能な複数のネジ保持部を設け、その外カバー、および、当該外カバーと合致する内カバーによって、制御素子を設置した基板を覆うとともに、左右のネジ保持部の内の一つずつを、ワンウェイタイプのかしめネジ（基端部の外面に対して垂直な面と基端部の外面に対して緩やかに傾斜した面とを有するネジ突起を基端部に設けられており、一方向にしか回転させることができないもの）を用いて、ドライバ等では外れないように内カバーに螺着することにより、ネジ保持部を切断しなければ外カバーを取り外すことができないようにして、外カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、不正防止効果に優れているものの、基板自体に螺着用のネジ孔を穿設しなければ、当該基板を、外カバーと内カバーとで覆われた空間内に収納することができないため、収納可能な基板の種類が限定されてしまう、という不具合がある。
【０００５】
本発明の目的は、上記従来の遊技機用制御装置の問題点を解消し、基板を、それ自体に螺着用のネジ孔を穿設することなく外カバーと内カバーとで覆われた空間内に固定された状態で収納することができ、収納可能な基板の種類が限定されない実用性の高い遊技機用制御装置を提供することにある。
【課題を解決するための手段】
【０００６】
本発明の内、請求項１に記載された発明は、外カバーと内カバーとを重ね合わせて組み付けることによって制御素子を設置した基板を覆った遊技機用制御装置であって、外カバーに開口部が形成されており、前記基板が、前記開口部から一部を露出させた状態で、裏面に押し当てられた固定部材によって、前記外カバーの裏面に固定されているとともに、その外カバーの裏面側に、前記内カバーが重ね合わされて組み付けられていることを特徴とするものである。
【０００７】
請求項２に記載された発明は、請求項１に記載された発明において、前記固定部材が、片端縁に設けられた係合部を前記外カバーに係合させ、かつ、他端縁を外カバーに螺着させた状態で、基板を外カバーの裏面側に固定していることを特徴とするものである。
【０００８】
請求項３に記載された発明は、請求項１、または請求項２に記載された発明において、前記固定部材の係合部が、固定部材の片端縁を凹状に刻設することによって形成されたものであり、固定部材が、外カバーの周壁の内面に設けられた係合突起を前記係合部に嵌め込むことによって、基板を外カバーの裏面側に固定していることを特徴とするものである。
【発明の効果】
【０００９】
請求項１に記載された制御装置は、固定部材によって基板を外カバーの裏面に押し付けた状態で固定するものであるので、基板を、それ自体に螺着用のネジ孔を穿設することなく外カバーと内カバーとで覆われた空間内に固定された状態で収納することができる。
【００１０】
請求項２に記載された制御装置は、固定部材が片端縁に設けられた係合部を外カバーに係合させ、かつ、他端縁を外カバーに螺着させた状態で、基板を外カバーの裏面側に固定するものであり、固定部材による基板の外カバーへの固着強度が高いので、外カバーに固定された基板ががたついたりしない。
【００１１】
請求項３に記載された制御装置は、固定部材の係合部が固定部材の片端縁を凹状に刻設することによって形成されたものであり、固定部材が外カバーの周壁の内面に設けられた係合突起を前記係合部に嵌め込むことによって、基板を外カバーの裏面側に固定するものであるので、固定部材による基板の外カバーへの固着作業、固着状態の解除作業が非常に容易である。
【発明を実施するための最良の形態】
【００１２】
以下、本発明の遊技機用制御装置（以下、単に制御装置という）について、図面に基づいて詳細に説明する。図１〜図３は、それぞれ、制御装置の正面図、右側面図、底面図であり、図４、図５は、制御装置の斜視図である。制御装置１は、ＲＯＭ５やＣＰＵ等の種々の制御素子を搭載した基板２ａ、同様にＲＯＭ４２やＣＰＵ等の種々の制御素子を搭載した基板２ｂ、基板２ｂを外カバー３に固定するための固定部材４１、透明な合成樹脂（ポリカーボネート）製の外カバー３および内カバー４等によって構成されている。
【００１３】
図６、図７は、それぞれ、外カバー３の表面、裏面を示したものである。外カバー３は、縦長な長方形状の表面板６の周囲に上側板１３、下側板７、左側板１９、右側板２０を後方向きに垂設した箱形に一体的に形成されている。そして、下側板７には、内カバー４と螺合させるためのネジ保持部８が、切断可能な２つの連結アーム３５，３５を介して外向きに突出するように一体的に設けられている。ネジ保持部８は、矩形状の支持板９の上側に略円筒状の保持体１０を設けたものであり、保持体１０の略中央には、ネジ挿通孔１１が穿設されている。そして、ネジ保持部８には、ワンウェイタイプのネジ１２が、ネジ挿通孔１１に挿通された状態で保持されている。
【００１４】
ワンウェイタイプのネジ１２は、ヘッドにネジ突起が突設されており、軸部の先端際にネジ山が設けられている。また、ネジ突起は、ヘッドの外面に対して垂直な面と、ヘッドの外面に対して緩やかに傾斜した面とを有している。このため、ネジ突起の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００１５】
また、外カバー３の上側板１３には、内カバー４と螺合させるための螺着体１４が外側に突出するように設けられている。螺着体１４は、舌片状の基板の周囲にリブを立設したものであり、略中央にネジ孔１５が穿設されている。加えて、外カバー３の前面（表面）の左右には、細幅のスライドガイド１６，１６が外側に突出するように設けられている。
【００１６】
さらに、外カバー３の表面板６の上端縁際には、後述する内カバー４の係合体２８を覆うための被覆部１７が設けられている。被覆部１７は、表面板６を扁平な六角柱状に膨出させることによって形成されている。図８は、被覆部１７の設置部分を拡大して示したものであり、被覆部１７の内部の平行に対峙した左右の壁面には、それぞれ、内カバー４の係合体２８と係合させるための鉤状の被係合体１８，１８が互いに向かい合うように設けられている。各被係合体１８，１８は、被覆部１７の内壁面を三角柱状（前後方向を高さ方向とする三角柱状）に突出させたものである。そして、上側の面は、内壁面と直交した状態になっており、下側の面は、内壁面と鋭角を成した状態になっている。加えて、被覆部１７の上端縁は、表面板６の他の上端縁よりもわずかに下側に位置した状態（約２ｍｍ下側に位置した状態）になっている。
【００１７】
また、外カバー３の左側板１９、右側板２０の内側には、それぞれ、ネジ溝を刻設した円柱状のリブ２１，２１・・が、左側板１９および右側板２０と隣接するように形成されている。そして、基板２ａが、制御素子５の搭載面を外カバー３の表面板６の内側面に対峙させた状態で、リブ２１，２１・・を利用して螺着されている。
【００１８】
一方、外カバー３の裏面の下側には、基板２ｂが、固定部材４１によって、制御素子の搭載面の周囲を外カバー３の裏面（内側面）に当接させた状態で固定されている。図９、図１０は、外カバー３の裏面側の基板２ｂの設置部位を示したものであり、外カバー３の下端際には、仕切板５１が下側板７と平行に水平に設けられており、基板２ａの下端縁が、その仕切板５１に係止された状態になっている。また、仕切板５１の表面側（前面側）には、横長な直方体状の３つの当接体５０，５０・・が他の部分から前方（図９，１０における上方）に突出するように等間隔に設けられている。また、左側の当接体５０と中央の当接体５０との間、および、中央の当接体５０と右側の当接体５０との間には、それぞれ、ネジ孔５２が穿設されている。また、仕切板５１の後方側（奥側）には、基板当接板５３が表面板６と平行に設けられている。そして、その基板当接板５３には、２つの開口部４９，４９が左右に並べて穿設されており、それぞれ、下側板７と隣接した状態になっている。さらに、外カバー３の下側板７の内面（上面）の中央より後方側（奥側）には、横長な直方体状の４つの係合突起５６，５６・・が、水平方向に一直線状になるように併設されている。
【００１９】
また、固定部材４１は、外カバー３および内カバー４と同様な合成樹脂によって一体的に形成されている。そして、横長な長方形状のベース板４３の左右に、一定幅の帯状の折返し板４５，４５がベース板４３に対して垂直に設けられており、ベース板４３の下側に、一定幅の帯状の係合板５８がベース板４３に対して垂直に設けられている。さらに、係合板５８には、同一幅で同一の奥行きを有する４つの切り欠き部４６，４６・・が形成されており、それらの切り欠き４６，４６・・の形成によって、四角柱状の支軸４７が補強体５７，５７・・を介してベース板４３に連結された形状を呈した状態になっている。加えて、ベース板４３の上側には、一定幅の帯状の螺着板４４が、ベース板４３と平行でベース板４３よりやや前方（図９，１０における上方）に位置するように設けられており、その螺着板４４の左右には、ネジ孔５４，５４が穿設されている。
【００２０】
一方、基板２ｂは、横長な矩形状に形成されており、外カバー３の左側板１９と右側板２０との間隔よりやや小さい幅、および、外カバー３の仕切板５１と下側板７との間隔よりやや小さい高さを有している。そして、表面には、ＲＯＭ４２やＣＰＵ等の種々の制御素子が搭載されている（なお、図９、図１０等においては、ＲＯＭ４２以外の制御素子の記載が省略されている）。そして、基板２ｂは、下側の端縁を外カバー３の下側板７の係合突起５６，５６・・の下側に位置させ、開口部４９から一部を露出させた状態で（図１等参照）、裏面側から固定部材４１を押し付けられ（折返し板４５，４５の先端縁の部分を押し付けられ）、当該固定部材４１の切り欠き４６，４６・・に外カバー３の下側板７の係合突起５６，５６・・を係合させ、その状態で、固定部材４１の螺着板４４を、外カバー３の仕切板５１の当接体５０，５０・・に当接させて、ネジ孔５４，５４およびネジ孔５２，５２を利用して、ネジ５５，５５により仕切板５１に螺着することによって、外カバー３の裏面に固定されている。
【００２１】
一方、内カバー４は、縦長な長方形状の底板２２の周囲に上側板３３、下側板３４、左側板３２、右側板２７を上向きに垂設した箱形に一体的に形成されている。なお、左側板３２と右側板２７との間隔は、外カバー３の左側板１９と右側板２０との間隔よりも若干大きくなっており、左側板３２の外面と右側板２７と外面との間隔が、外カバー３の表面板６の幅（左側のスライドガイド１６から右側のスライドガイド１６までの長さ）と略同一になっている。そして、下側板３４の右端（外カバー３を重ねた際にネジ保持部８と対応する位置）には、略四角柱状のネジ螺着部２３が一体的に突設されている（図４、図５参照）。ネジ螺着部２３は、左右に平行に配置された切断容易な２つの第一連結体２４，２４によって、上側の面が内カバー４の下側板３４に連結された状態になっている。また、ネジ螺着部２３右端縁には、平板状の突出片２５が前方に突出するように設けられており、その突出片２５が、切断容易な第二連結体２６によって右側板２７に連結された状態になっている。
【００２２】
また、内カバー４の上側板３３の中央の前端際には、外カバー３と係合させるための係合体２８が内側へ突出するように一体的に形成されている。図１１は、係合体２８の設置部分を拡大して示したものであり、係合体２８は、二個一対の棒状突起部２９，２９の各先端に、それぞれ、鉤状部３０，３０を互いに外向きになるように設けた形状を有している。そして、各棒状突起部２９，２９の基端同士に平板状の補強体３１が懸架された状態になっている。一方、内カバー４の上側板３３の中央よりやや右側（外カバー３を重ねた際に螺着体１４と対応する位置）には、半円柱状（高さ方向を前後方向にした半円柱状）の被螺着体３６が設けられている。加えて、内カバー４の上側板３３と下側板３４との接合部分には、縦長な長方形状の押さえ片３７が、上側板３３および下側板３４と直交して上側板３３および下側板３４の内方へ突出するように設けられている。
【００２３】
上記の如く形成された外カバー３および内カバー４を組み付ける場合には、外カバー３を内カバー４より右側に位置させた状態で、外カバー３の左側板１９および右側板２０を、それぞれ、内カバー４の左側板３２および右側板２７の内側に嵌め込むようにして、外カバー３の左右のスライドガイド１６，１６を、それぞれ、内カバー４の左側板３２および右側板２７の前方に当接させる。そして、その状態で、外カバー３を内カバー４に重ね合わせるように上向きにスライドさせると、内カバー４の係合体２８が被覆部１７の内部に入り込み、係合体２８の鉤状部３０，３０が、それぞれ、被覆部１７の内部において被係合体１８，１８にスムーズに係合する。なお、係合体２８の鉤状部３０，３０と被係合体１８，１８とは、互いに逆向きの鉤状になっているので、一旦、係合体２８の鉤状部３０，３０と被係合体１８，１８とが係合すると、外カバー３を内カバー４に対して下向きにスライドさせることができなくなる。
【００２４】
上記の如く、外カバー３と内カバー４とを重ね合わせると、外カバー３の右上端の部分が、内カバー４の底板２２と押さえ片３７との間に嵌り込んだ状態となる。そして、そのように外カバー３と内カバー４とを重ね合わせた状態で、ワンウェイタイプのネジ１２によって、外カバー３の右下端のネジ保持部８を内カバー４の右下端のネジ螺着部２３に螺着することによって、外カバー３と内カバー４との組み付けを完了する。外カバー３と内カバー４とが組み付けられた制御装置１においては、制御素子を搭載した基板２ａ，２ｂが、外カバー３の内側に螺着された状態で、外カバー３および内カバー４によって覆われた状態になっている。
【００２５】
上記の如く構成された制御装置１は、パチンコ機の裏面側の機構板等に設置された状態で使用される。そして、基板２ａ，２ｂに搭載された制御素子によって、パチンコ機の作動内容を制御する。
【００２６】
また、制御装置１は、外カバー３のネジ保持部８と内カバー４のネジ螺着部２３とが、ワンウェイタイプのネジ１２によって螺着されているとともに、内カバー４の係合体２８が外カバー３の被覆部１７の内部において被係合体１８，１８に係合した状態になっている。それゆえ、外カバー３と内カバー４とを分離する場合には、外カバー３のネジ保持部８と螺着した内カバー４のネジ螺着部２３の第一連結体２４，２４および第二連結体２６を、ニッパ等の工具で切断し、当該ネジ螺着部２３を内カバー４から切り離すとともに、ニッパ等の工具で内カバー４の係合体２８の基端部（補強体３１よりも基端側）を切断して、当該係合体２８を内カバー４と切り離すことによって、外カバー３と内カバー４とを分離しなければならない。なお、外カバー３の被覆部１７の上端縁は、表面板６の他の上端縁よりもわずかに下側に位置した状態になっているとともに、内カバー４の上側板３３から係合体２８の鉤状部３０の最も突出した部分までの長さの方が、外カバー３の表面板６の被覆部１７以外の上端縁から被係合体１８，１８の最も突出した部分までの長さより若干長く設計されており、係合体２８が所謂“遊び”を有した状態で被係合体１８，１８に係合されているため、内カバー４のネジ螺着部２３を切断した後には、外カバー３と内カバー４とが組み付けられている状態であっても、被覆部１７の上端縁と内カバー４の上側板３３との隙間から工具を挿入して係合体２８の基端部を切断することができる。
【００２７】
制御装置１は、上記の如く、外カバー３に開口部４９，４９が形成されており、基板２ｂが、開口部４９、４９から一部を露出させた状態で、裏面に押し当てられた固定部材４１によって、外カバー３の裏面に固定されているとともに、その外カバー３の裏面側に、内カバー４が重ね合わされて組み付けられている。それゆえ、制御装置１によれば、基板２ｂを、それ自体に螺着用のネジ孔等を穿設することなく外カバー３と内カバー４とで覆われた空間内に固定された状態で収納することが可能となる。
【００２８】
また、制御装置１は、固定部材４１が片端縁に設けられた係合部（すなわち、切り欠き４６，４６の形成部分）を外カバー３に係合させ、かつ、他端縁を外カバー３に螺着させた状態で、基板２ｂを外カバー３の裏面側に固定するものであり、固定部材４１による基板２ｂの外カバー３への固着強度が高いので、外カバー３に固定された基板２ｂががたついたりしない。
【００２９】
さらに、制御装置１は、固定部材４１の係合部が固定部材４１の片端縁を凹状に刻設することによって形成されたもの（すなわち、切り欠き４６，４６）であり、固定部材４１が外カバー３の周壁（下側板７）の内面に設けられた係合突起５６，５６・・を係合部（切り欠き４６，４６）に嵌め込むことによって、基板２ｂを外カバー３の裏面側に固定するものであるので、固定部材４１による基板２ｂの外カバー３への固着作業、固着状態の解除作業が非常に容易である。
【００３０】
加えて、制御装置１は、上記の如く、工具を用いて連結体（第一連結体２４，２４および第二連結体２６）を切断してネジ保持部８を外カバー３から切り離すとともに、係合体２８を切断して内カバー４から切り離さなければ、外カバー３と内カバー４とを分離することができず、そのように外カバー３と内カバー４とを分離した場合には、必ず、その痕跡が残るので、外カバー３と内カバー４とを無理矢理に分離して、ＲＯＭ５等の制御素子が不正に取り替えられる事態を効果的に防止することができる。
【００３１】
なお、本発明の制御装置は、上記実施形態の態様に何ら限定されるものではなく、外カバー、内カバー、基板、ワンウェイタイプのネジ、固定部材等の形状、構造等の構成を本発明の趣旨を逸脱しない範囲内で適宜変更することができる。
【００３２】
たとえば、本発明の制御装置は、上記実施形態の如く、ネジ保持部およびネジ螺着部の他に、係合体および被係合体を内外のカバーに設けたものに限定されず、ネジ保持部およびネジ螺着部のみを内外のカバーに設けたものや、ネジ保持部およびネジ螺着部が内外のカバーに設けられていないものでも良い。また、複数のネジ保持部およびネジ螺着部を内外のカバーに設けて基板の制御素子のチェックを複数回行うことができるように構成することも可能である。加えて、ネジ保持部およびネジ螺着部を内外のカバーに設ける場合には、その設置位置は、上記実施形態の如き右下端に限定されず、必要に応じて適宜アレンジすることができる。
【００３３】
また、固定部材は、片端縁に設けられた係合部を外カバーに係合させ、かつ、他端縁を外カバーに螺着させた状態で、基板を外カバーの裏面側に固定するものに限定されず、対向する両端縁に設けられた係合部を外カバーに係合させることによって基板を外カバーの裏面側に固定するものや、対向する両端縁を外カバーに螺着することによって基板を外カバーの裏面側に固定するもの等に変更することも可能である。
【００３４】
また、上記実施形態の如く、固定部材の端縁に切り欠きを設ける場合には、その切り欠きの個数は４個に限定されず、３個以下でも良いし、５個以上でも良い（すなわち、固定部材のベース板と支軸とを連結する補強体の個数は３個に限定されず、２個以下でも良いし、４個以上でも良い）。なお、そのように固定部材の端縁の切り欠きの個数を変更する場合には、その個数に合わせて、外カバーの内壁面に設ける係合突起の個数を変更する必要がある。さらに、固定部材の端縁に複数の切り欠きを設ける場合には、それらの切り欠きの形状は同一である必要はなく、必要に応じて適宜変更することができる（すなわち、固定部材のベース板と支軸とを連結する補強体の幅等を必要に応じて適宜変更することができる）。加えて、上記実施形態の如く、固定部材の端縁を外カバーに螺着する場合には、その螺着箇所は２個に限定されず、１個でも良いし、３個以上でも良い。
【００３５】
加えて、制御装置の内外カバーは、上記実施形態の如く、ポリカーボネートのみによって形成されたものに限定されず、ポリカーボネート以外の合成樹脂によって形成したものや、ポリカーボネートとその他の合成樹脂とからなる混合樹脂、あるいはポリカーボネート以外の２種以上の混合樹脂によって形成したもの等に変更することも可能である。
【００３６】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００３７】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００３８】
【図１】制御装置の正面図である。
【図２】制御装置の右側面図である。
【図３】制御装置の底面図である。
【図４】制御装置の表面側の斜視図である。
【図５】制御装置の表面側の斜視図である。
【図６】外カバーの表面側の斜視図である。
【図７】外カバーの裏面側の斜視図である。
【図８】外カバーの被覆部の設置部位を拡大して示す説明図である（ａは正面図であり、ｂはａにおけるＡ−Ａ線断面を示したものである）。
【図９】基板の設置部位を示す斜視説明図である。
【図１０】基板の設置部位を示す斜視説明図である。
【図１１】内カバーの係合体の設置部位を拡大して示す説明図である（ａは正面図であり、ｂはａにおけるＡ−Ａ線断面を示したものである）。
【符号の説明】
【００３９】
１・・制御装置
２・・基板
３・・外カバー
４・・内カバー
５，４２・・制御素子（ＲＯＭ等）
４１・・固定部材
４４・・螺着板
４６・・切り欠き（係合部）
４９・・開口部
５６・・係合突起
【図１】
2009201692.tif 000003
【図２】
2009201692.tif 000004
【図３】
2009201692.tif 000005
【図４】
2009201692.tif 000006
【図５】
2009201692.tif 000007
【図６】
2009201692.tif 000008
【図７】
2009201692.tif 000009
【図８】
2009201692.tif 000010
【図９】
2009201692.tif 000011
【図１０】
2009201692.tif 000012
【図１１】
2009201692.tif 000013